(57)【特許請求の範囲】
【請求項１】
一方主面、他方主面および側面を有する導電体と、
前記導電体の一方主面に設けられたコイル開口部を有するアンテナコイルと、
前記アンテナコイルの前記コイル開口部を通る磁性体コアと、
を有するアンテナ装置であって、
前記アンテナコイルは、その前記コイル開口部の中心が前記導電体の一方主面に沿って、前記導電体の一方主面の中心から縁端部方向にオフセットした位置に配置され、
前記磁性体コアの磁路方向の第１端は前記導電体の側面または他方主面に沿った位置にあり、
前記アンテナコイルのコイル軸は前記導電体の一方主面に対して交差していることを特徴とするアンテナ装置。
【請求項２】
前記磁性体コアは前記導電体に対向する第１主面および前記第１主面の反対面である第２主面を有し、
前記アンテナコイルは、前記磁性体コアの第１主面側に位置する第１部分と、前記磁性体コアの第２主面側に位置し、第２主面方向からの平面視で前記第１部分とは異なる位置に配置された第２部分と、を有し、
前記磁性体コアの前記第１主面は前記導電体の一方主面側に位置し、前記アンテナコイルの前記第２部分は前記導電体の縁端部近傍に位置する、請求項１に記載のアンテナ装置。
【請求項３】
前記磁性体コアは前記導電体に対向する第１主面および前記第１主面の反対面である第２主面を有し、
前記アンテナコイルは、前記磁性体コアの第１主面側に位置する第１部分と、前記磁性体コアの第２主面側に位置し、第２主面方向からの平面視で前記第１部分とは異なる位置に配置された第２部分と、を有し、
前記磁性体コアの前記第１主面は前記導電体の一方主面側に位置し、前記アンテナコイルの前記第１部分は前記導電体の縁端部近傍に位置する、請求項１に記載のアンテナ装置。
【請求項４】
前記アンテナコイルの外縁は前記導電体の縁端部と実質的に重なる、請求項１〜３のいずれかに記載のアンテナ装置。
【請求項５】
前記アンテナコイルは、複数ターンのループ状またはスパイラル状の第１コイル導体と、複数ターンのループ状またはスパイラル状の第２コイル導体とが積層された少なくとも２層のコイル導体を有し、前記第１コイル導体と第２コイル導体とを透視したとき、少なくとも一部は前記第１コイル導体の間に沿って前記第２コイル導体が位置する、請求項１〜４のいずれかに記載のアンテナ装置。
【請求項６】
前記磁性体コアの挿入方向での前記アンテナコイルの外形寸法は、前記磁性体コアの挿入方向での前記導電体の一方主面の長さの１／２以下である、請求項１〜５のいずれかに記載のアンテナ装置。
【請求項７】
前記磁性体コアは、前記コイル開口部への挿入方向とそれに直交する方向とで異なる透磁率を有し、前記コイル開口部への挿入方向が透磁率の高い方向になっている、請求項１〜６のいずれかに記載のアンテナ装置。
【請求項８】
前記磁性体コアは、その磁路の長さ方向において、前記導電体の一方主面に沿った部分の長さが前記導電体の側面に沿った部分の長さよりも長い、請求項１〜７のいずれかに記載のアンテナ装置。
【請求項９】
前記磁性体コアは、その磁路の幅方向において、前記第２端の幅が前記第１端の幅よりも大きい、請求項１〜８のいずれかに記載のアンテナ装置。
【請求項１０】
一方主面、他方主面および側面を有する導電体と、
前記導電体の主面に設けられたコイル開口部を有するアンテナコイルと、
前記アンテナコイルの前記コイル開口部を通る磁性体コアと、
を有するアンテナ装置を備えた通信端末装置であって、
前記アンテナコイルは、その前記コイル開口部の中心が前記導電体の一方主面に沿って、前記導電体の一方主面の中心から縁端部方向にオフセットした位置に配置され、
前記磁性体コアの磁路方向の第１端は前記導電体の側面または他方主面に沿った位置にあり、
前記アンテナコイルのコイル軸は前記導電体の一方主面に対して交差していることを特徴とする通信端末装置。
【請求項１１】
前記アンテナコイルは、前記磁性体コアの挿入方向が通信端末筐体の長手方向となるように、前記導電体に貼着されている、請求項１０に記載の通信端末装置。
【請求項１２】
前記通信端末筐体に前記アンテナコイルとは異なる周波数帯に対応したアンテナが設けられていて、前記アンテナコイルは、その前記コイル開口部の中心が前記通信端末筐体の長手方向で前記導電体に対して前記アンテナから離れる方向にオフセットされている、請求項１１に記載の通信端末装置。
【請求項１３】
一方主面、他方主面および側面を有するバッテリーパックと、
前記バッテリーパックの主面に設けられたコイル開口部を有するアンテナコイルと、
前記アンテナコイルの前記コイル開口部を通る磁性体コアと、
を有するアンテナ付きバッテリーパックであって、
前記アンテナコイルは、その前記コイル開口部の中心が前記バッテリーパックの一方主面に沿って、前記バッテリーパックの一方主面の中心から縁端部方向にオフセットした位置に配置され、
前記磁性体コアの磁路方向の第１端は前記バッテリーパックの側面または他方主面に沿った位置にあり、
前記アンテナコイルのコイル軸は前記導電体の一方主面に対して交差していることを特徴とするアンテナ付きバッテリーパック。
【発明の詳細な説明】
【技術分野】
【０００１】
本発明は、電磁界信号を介して外部機器と通信するＲＦＩＤ(Radio Frequency Identification)システム等で利用可能なアンテナ装置、アンテナ付きバッテリーパックおよび通信端末装置に関する。
【背景技術】
【０００２】
リーダライタとＲＦＩＤタグとを非接触方式で通信させ、リーダライタとＲＦＩＤタグとの間で所定の情報を伝達するＲＦＩＤシステムにおいて、リーダライタやＲＦＩＤタグは無線信号を送受するためのアンテナ装置をそれぞれ備えている。例えば１３．５６ＭＨｚ帯を通信周波数として利用したＨＦ帯ＲＦＩＤシステムであれば、ＲＦＩＤタグやリーダライタのアンテナはアンテナコイルで構成され、ＲＦＩＤタグ側のアンテナコイルとリーダライタ側のアンテナコイルとは、主に誘導磁界を介して結合する。
【０００３】
近年、携帯電話等の通信端末装置にＨＦ帯ＲＦＩＤシステム用のアンテナコイルを搭載し、この通信端末装置をリーダライタやＲＦＩＤタグとして利用されることが多い。しかしながら、通信端末装置の筐体の内部には、液晶表示パネル、キーボード、ＲＦ回路基板、バッテリーパック等の導電体（金属物）が設けられており、これらの導電体によって誘導磁界の形成が妨げられ、十分な通信距離を確保できないことがある。
【０００４】
そこで、例えば特許文献１に記載されているように、アンテナコイルと磁性体コアとで構成されたアンテナ装置を回路基板に搭載し、磁性体コアの端部を回路基板の側面にまで回り込ませた構造が知られている。
【０００５】
ここで特許文献１に示されているアンテナ装置の例を図１に表す。
図１はアンテナ装置１０６の斜視図である。回路基板１の主面にはアンテナコイル２０６が密着して実装されている。回路基板１は携帯電話端末内に配設される基板であり、この基板上には図示しないＲＦ回路や制御回路等が形成される。回路基板１は携帯電話端末の主面と平行となるように筐体内に配設されている。また、回路基板１において、アンテナコイル２０６が実装された面と対向する面には全面にグランド電極（不図示）が形成されている。
【０００６】
アンテナコイル２０６は磁性体コア６０とコイル７０によって構成される。磁性体コア６０は第１の主面と第２の主面を有し、第１の主面と第２の主面とは対向し、第２の主面が回路基板と対向している。また、磁性体コア６０の両端部には回路基板１の側面に沿う屈曲部６１，６２が形成されている。すなわち、磁性体コア６０は回路基板１の側面付近で屈曲している。
【０００７】
磁性体コア６０の回路基板１と対向しない第１の主面には、コイル導体６５によりコイル７０が形成されている。コイル７０のコイル軸は第１の主面に対して垂直である。コイル７０の中心にはコイル導体６５が形成されない開口部６３が設けられている。コイル７０の導体端６６にはスルーホールが設けられており、回路基板１のアンテナコイル２０６と対向する面に設けられた電極とコイル７０の導体端６６とが半田付けによって電気的に接続され、最終的に端子７に接続されている。コイル７０の導体端６６とは反対側の導体端は端子８に接続されている。端子７，８は回路基板１上に形成されたパターン電極であり、回路基板１上の図示しないＲＦＩＤ処理回路に接続されている。
【０００８】
この構造によれば、上記のような導電体（金属物）の影響を最小限に抑え、十分な通信距離を確保することが可能である。
【先行技術文献】
【特許文献】
【０００９】
【特許文献１】特許第４０１３９８７号公報
【発明の概要】
【発明が解決しようとする課題】
【００１０】
しかしながら、特許文献１に記載されているアンテナ装置において、アンテナコイルおよび磁性体コアは、導電体の影響を避けるため、回路基板の幅方向全体を利用するように構成されている。そのため、アンテナコイルおよび磁性体コアのサイズが大きくなる傾向にある。
【００１１】
本発明は、十分な通信距離を確保しつつアンテナコイルおよび磁性体コアのサイズを小さくして全体に小型化を図ったアンテナ装置、アンテナ付きバッテリーパックおよびこれらを備えた通信端末装置を提供することを目的としている。
【課題を解決するための手段】
【００１２】
（１）本発明のアンテナ装置は、一方主面、他方主面および側面を有する導電体と、
前記導電体の一方主面に設けられたコイル開口部を有するアンテナコイルと、
前記アンテナコイルの前記コイル開口部を通る（開口部に挿入された）磁性体コアと、を有し、
前記アンテナコイルは、その前記コイル開口部の中心が前記導電体の一方主面に沿って、前記導電体の一方主面の中心から縁端部方向にオフセットした位置に配置され、
前記磁性体コアの磁路方向の第１端は前記導電体の側面または他方主面に沿った位置にあり、
前記アンテナコイルのコイル軸は前記導電体の一方主面に対して交差していることを特徴とする。
【００１３】
（２）上記(1)において、前記磁性体コアは前記導電体に対向する第１主面および前記第１主面と反対面である第２主面を有し、
前記アンテナコイルは、前記磁性体コアの第１主面側に位置する第１部分と、前記磁性体コアの第２主面側に位置し、第２主面方向からの平面視で前記第１部分とは異なる位置に配置された第２部分と、を有し、
前記磁性体コアの前記第１主面は前記導電体の一方主面側に位置し、前記アンテナコイルの前記第２部分は前記導電体の縁端部近傍に位置していることが好ましい。
【００１４】
（３）上記(1)において、前記磁性体コアは前記導電体に対向する第１主面および前記第１主面と反対面である第２主面を有し、
前記アンテナコイルは、前記磁性体コアの第１主面側に位置する第１部分と、前記磁性体コアの第２主面側に位置し、第２主面方向からの平面視で前記第１部分とは異なる位置に配置された第２部分と、を有し、
前記磁性体コアの前記第１主面は前記導電体の一方主面側に位置し、前記アンテナコイルの前記第１部分が前記導電体の縁端部近傍に位置していることが好ましい。
【００１５】
（４）上記(1)〜(3)のいずれかにおいて、前記アンテナコイルの外縁は前記導電体の縁端部と実質的に重なることが好ましい。
【００１６】
（５）上記(1)〜(4)のいずれかにおいて、前記アンテナコイルは、複数ターンのループ状またはスパイラル状の第１コイル導体と、複数ターンのループ状またはスパイラル状の第２コイル導体とが積層された少なくとも２層のコイル導体を有し、前記第１コイル導体と第２コイル導体とを透視したとき、少なくとも一部は前記第１コイル導体の間に沿って前記第２コイル導体が位置することが好ましい。
【００１７】
（６）上記(1)〜(5)のいずれかにおいて、前記磁性体コアの挿入方向での前記アンテナコイルの外形寸法（Ｙ１）は、前記磁性体コアの挿入方向での前記導電体の一方主面の長さ（Ｙ２）の１／２以下であることが好ましい。
【００１８】
（７）上記(1)〜(6)のいずれかにおいて、前記磁性体コアは、前記コイル開口部への挿入方向（Ｘ軸方向）とそれに直交する方向（Ｙ軸方向）とで異なる透磁率を有し、前記コイル開口部への挿入方向が透磁率の高い方向になっていることが好ましい。
【００１９】
（８）上記(1)〜(7)のいずれかにおいて、前記磁性体コアは、その磁路の長さ方向において、前記導電体の一方主面に沿った部分の長さが前記導電体の側面に沿った部分の長さよりも長いことが好ましい。
（９）上記(1)〜(8)のいずれかにおいて、前記磁性体コアは、その磁路の幅方向において、前記第２端の幅が前記第１端の幅よりも大きいことが好ましい。
（１０）本発明の通信端末装置は、一方主面、他方主面および側面を有する導電体と、
前記導電体の主面に設けられたコイル開口部を有するアンテナコイルと、
前記アンテナコイルの前記コイル開口部を通る（開口部に挿入された）磁性体コアと、を有するアンテナ装置を備え、
前記アンテナコイルは、その前記コイル開口部の中心が前記導電体の一方主面に沿って、前記導電体の一方主面の中心から縁端部方向にオフセットした位置に配置され、
前記磁性体コアの磁路方向の第１端は前記導電体の側面または他方主面に沿った位置にあり、前記磁性体コアの前記第１端とは反対側の第２端は、前記導電体の一方主面に沿った位置にあり、
前記アンテナコイルのコイル軸は前記導電体の一方主面に対して交差していることを特徴とする。
【００２０】
（１１）上記(10)において、前記アンテナコイルは、前記磁性体コアの挿入方向が通信端末筐体の長手方向となるように、前記導電体に貼着されていることが好ましい。
【００２１】
（１２）上記(11)において、前記通信端末筐体に前記アンテナコイルとは異なる周波数帯に対応したアンテナ（メインアンテナ）が設けられていて、前記アンテナコイルは、その前記コイル開口部の中心が前記通信端末筐体の長手方向で前記導電体に対して前記アンテナから離れる方向にオフセットされていることが好ましい。
【００２２】
（１３）本発明のアンテナ付きバッテリーパックは、一方主面、他方主面および側面を有するバッテリーパックと、前記バッテリーパックの主面に設けられたコイル開口部を有するアンテナコイルと、前記アンテナコイルの前記コイル開口部を通る（開口部に挿入された）磁性体コアと、を有し、
前記アンテナコイルは、その前記コイル開口部の中心が前記バッテリーパックの一方主面に沿って、前記バッテリーパックの一方主面の中心から縁端部方向にオフセットした位置に配置され、
前記磁性体コアの磁路方向の第１端は前記バッテリーパックの側面または他方主面に沿った位置にあり、前記磁性体コアの前記第１端とは反対側の第２端は、前記バッテリーパックの一方主面に沿った位置にあり、
前記アンテナコイルのコイル軸は前記導電体の一方主面に対して交差していることを特徴とする。
【発明の効果】
【００２３】
本発明によれば、導電体の主面を集磁素子（集磁面）として利用することができ、しかも、導電体の主面方向に大きな磁界ループを形成できるため、アンテナコイルおよび磁性体コアのサイズを小さくしても、十分な通信距離を確保できる。
【図面の簡単な説明】
【００２４】
【図１】図１は特許文献１に示されているアンテナ装置１０６の斜視図である。
【図２】図２は第１の実施形態のアンテナ付きバッテリーパック１１１の斜視図である。
【図３】図３（Ａ）はアンテナ付きバッテリーパック１１１の平面図、図３（Ｂ）はその正面図である。図３（Ｃ）は図３（Ｂ）の部分拡大図である。
【図４】図４（Ａ）はアンテナコイル２０に鎖交する磁束について示す図、図４（Ｂ）は磁束ループを示す図である。
【図５】図５（Ａ）は第２の実施形態のアンテナ付きバッテリーパック１１２の部分平面図、図５（Ｂ）はその正面図である。
【図６】図６（Ａ）は第３の実施形態のアンテナ付きバッテリーパック１１３の平面図、図６（Ｂ）はその正面図である。図６（Ｃ）は図６（Ｂ）の部分拡大図である。
【図７】図７（Ａ）、図７（Ｂ）、図７（Ｃ）は第４の実施形態のアンテナ付きバッテリーパック１１４Ａ，１１４Ｂ，１１４Ｃの正面図である。
【図８】図８（Ａ）は第５の実施形態の通信端末装置２１１の斜視図、図８（Ｂ）はその縦断面図である。
【図９】図９は第６の実施形態のアンテナコイル１２０の平面図である。
【発明を実施するための形態】
【００２５】
《第１の実施形態》
第１の実施形態に係るアンテナ装置は、ＨＦ帯ＲＦＩＤシステム用のアンテナを備えたバッテリーパックに構成されている。このバッテリーパックは、例えば携帯電話等の通信端末装置に内蔵される小型・薄型のバッテリーパックであって、本体は金属ケースに収容された二次電池である。金属ケースは樹脂ケースでさらに保護されていて、樹脂ケース内に二次電池の引出し配線やアンテナの引出し配線が設けられている。
【００２６】
図２はアンテナ付きバッテリーパック１１１の斜視図である。図３（Ａ）はアンテナ付きバッテリーパック１１１の平面図、図３（Ｂ）はその正面図である。図３（Ｃ）は図３（Ｂ）の部分拡大図である。図２、図３（Ａ）、図３（Ｂ）、図３（Ｃ）に表れているように、バッテリーパック１０は一方主面ＭＳ１０、他方主面、および側面ＥＳ１０を有し、外観はほぼ直方体形状である。その一方主面ＭＳ１０にはアンテナコイル２０が設けられている。
【００２７】
図３（Ｃ）に表れているように、アンテナコイル２０はフレキシブル基板（シート）２１にコイル導体パターン２２が形成されたものである。フレキシブル基板２１にはスリット状の開口ＡＰ２１が形成されていて、この開口ＡＰ２１に磁性体コア３０が挿入されている。
【００２８】
アンテナコイル２０と磁性体コア３０とはアンテナコイルユニットとして一体化されていて、このアンテナコイルユニットはバッテリーパックの一方主面ＭＳ１０から側面ＥＳ１０にかけて貼り付けられている。
【００２９】
アンテナコイル２０は、アンテナコイル２０に設けられたコイル開口部の中心ＣＰ３０がバッテリーパックの主面ＭＳ１０の中心ＣＰ１０から主面ＭＳ１０の縁端部方向にオフセットするように配置されている。図３（Ａ）に示す座標ではＹ軸の正方向にオフセットされている。そして、磁性体コア３０の磁路方向の第１端Ｅ１は、バッテリーパック１０の側面ＥＳ１０に沿って延伸されていて、磁性体コア３０の第１端Ｅ１とは反対側の第２端Ｅ２は、バッテリーパック１０の主面の中心ＣＰ１０に向かって開放されている。
【００３０】
また、アンテナコイル２０のコイル導体パターンのコイル開口部に対する磁性体コア３０の挿入方向でのアンテナコイル２０の外形寸法（コイル導体パターンの形成幅）Ｙ１は、磁性体コア３０の挿入方向でのバッテリーパック１０の主面ＭＳ１０の長さＹ２の１／２以下である。
【００３１】
磁性体コア３０は、フェライト等の磁性材料が薄板状に成型された磁性体であり、バッテリーパック１０に対向する第１主面ＦＳ３０およびこの第１主面ＦＳ３０に対向する第２主面ＳＳ３０を有している。アンテナコイル２０は、磁性体コア３０の第１主面ＦＳ３０側に位置する第１部分２０Ａと、磁性体コア３０の第２主面ＳＳ３０側に位置して第２主面ＳＳ３０からの平面視で第１部分２０Ａとは異なる位置に配置された第２部分２０Ｂとを有する。
【００３２】
また、磁性体コア３０の第１主面ＦＳ３０はバッテリーパック１０の主面ＭＳ１０側に位置し、アンテナコイル２０の第２部分２０Ｂはバッテリーパック１０の縁端部の近傍に位置している。
【００３３】
図４（Ａ）はアンテナコイル２０に鎖交する磁束について示す図、図４（Ｂ）は磁束ループを示す図である。既に述べたとおり、アンテナコイル２０は、コイル開口部の中心がバッテリーパック１０の主面の中心から主面の縁端部方向にオフセットするように配置されていて、且つ、磁性体コア３０の第１端Ｅ１はバッテリーパック１０の側面に延伸されていて、磁性体コア３０の第２端Ｅ２はバッテリーパック１０の主面の中心に向かって開放されている。これにより、図４（Ａ）において矢印線で示すように、バッテリーパック１０の主面に沿って磁束が集磁されてアンテナコイル２０のコイル開口部を通過する。しかも、図４（Ｂ）において楕円で示すように、バッテリーパック１０の主面に沿って拡がる大きな磁束ループが形成されるため、アンテナコイル２０および磁性体コア３０のサイズを小さくしても十分な通信距離を確保できる。
【００３４】
既に述べたとおり、磁性体コア３０の第１主面がバッテリーパック１０の主面側に位置し、アンテナコイル２０の第２部分２０Ｂがバッテリーパック１０の縁端部近傍に位置しているので、さらには、アンテナコイル２０と磁性体コア３０とで構成されるアンテナコイルユニットはバッテリーパックの主面ＭＳ１０に貼り付けられているので、第１の実施形態のアンテナ付きバッテリーパック１１１のアンテナ装置はバッテリーパック１０の主面で磁束をより拾いやすくなる。特に、磁性体コア３０はバッテリーパック１０の中央部側で幅広に形成されているため磁束をより拾いやすい。
【００３５】
また、アンテナコイル２０は、コイル導体パターン２２の外縁端がバッテリーパック１０の縁端部とほぼ重なるように、バッテリーパック１０の主面に設けられているので、バッテリーパック１０の主面においては、その縁端部近傍から磁束が立つことが抑制される。すなわち、縁端部においては、アンテナコイル２０の第２部分２０Ｂにより、磁束がバッテリーパックの一方主面ＭＳ１０方向に延びることを抑制することができる。そのため、バッテリーパック１０の主面方向に大きな磁界ループを形成することができる。
【００３６】
また、アンテナコイル２０のコイル導体パターン２２のコイル開口部に対する磁性体コア３０の挿入方向でのアンテナコイル２０の外形寸法（コイル導体パターンの形成幅）Ｙ１は、磁性体コア３０の挿入方向でのバッテリーパック１０の主面ＭＳ１０の長さＹ２の１／２以下であるため、アンテナコイルおよび磁性体コアを小型化できるとともに、バッテリーパックの主面エリアを集磁素子として有効に活用できる。
【００３７】
《第２の実施形態》
図５（Ａ）は第２の実施形態のアンテナ付きバッテリーパック１１２の部分平面図、図５（Ｂ）はその正面図である。
第１の実施形態においては、フレキシブル基板２１に一層のコイル導体パターンを形成したが、第２の実施形態ではコイル導体パターンを複数層に形成している。
【００３８】
アンテナコイル２０は、複数ターンのスパイラル状の第１コイル導体パターン２２ａと、同じく複数ターンのスパイラル状の第２コイル導体パターン２２ｂとが積層された２層のコイル導体パターン２２を備えている。第１コイル導体パターン２２ａおよび第２コイル導体パターン２２ｂは、フレキシブル基板２１の表面および裏面にそれぞれ設けられている。第１コイル導体パターン２２ａの一端は第１入出力端子２２ａｔに接続されていて、第２コイル導体パターン２２ｂの一端は第２入出力端子２２ｂｔに接続されていて、これらの入出力端子は給電回路に接続される。第１コイル導体パターン２２ａの他端２２ａｃと第２コイル導体パターン２２ｂの他端２２ｂｃとは、互いに絶縁性シート中に設けられた層間接続導体を介して接続されている。
【００３９】
第１コイル導体パターン２２ａと第２コイル導体パターン２２ｂは、それらに流れる電流の向きが同方向になるように巻回されている。また、このアンテナコイル２０をバッテリーパック１０の主面方向から透視したときに、第１コイル導体パターン２２ａのコイル導体間に第２コイル導体パターン２２ｂのコイル導体が位置するように構成されている。すなわち透視状態でコイル導体間に隙間がないように設けられている。この構造により、第１コイル導体パターン２２ａと第２コイル導体パターン２２ｂとの間を抜ける磁束が最小限に抑えられ、より大きな磁界ループが生じやすくなる。
なお、コイル導体パターンは絶縁層を介して積層してもよい。
【００４０】
《第３の実施形態》
図６（Ａ）は第３の実施形態のアンテナ付きバッテリーパック１１３の平面図、図６（Ｂ）はその正面図である。図６（Ｃ）は図６（Ｂ）の部分拡大図である。バッテリーパック１０は主面ＭＳ１０および側面ＥＳ１０を有し、外観はほぼ直方体形状である。その主面ＭＳ１０にアンテナコイル２０が設けられている。
【００４１】
図６（Ｃ）に表れているように、アンテナコイル２０はフレキシブル基板（シート）２１にコイル導体パターン２２が形成されたものである。フレキシブル基板２１にはスリット状の開口ＡＰ２１が形成されていて、この開口ＡＰ２１に磁性体コア３０が挿入されている。
【００４２】
アンテナコイル２０と磁性体コア３０とはアンテナコイルユニットとして一体化されていて、このアンテナコイルユニットはバッテリーパックの主面ＭＳ１０から側面ＥＳ１０にかけて貼り付けられている。
【００４３】
アンテナコイル２０は、コイル開口部の中心ＣＰ３０がバッテリーパックの主面ＭＳ１０の中心ＣＰ１０から主面ＭＳ１０の縁端部方向にオフセットするように配置されている。そして、磁性体コア３０の磁路方向の第１端Ｅ１は、バッテリーパック１０の側面ＥＳ１０に沿って延伸されていて、磁性体コア３０の第１端Ｅ１とは反対側の第２端Ｅ２は、バッテリーパック１０の主面の中心ＣＰ１０に向かって開放されている。
【００４４】
磁性体コア３０は、フェライト等の磁性材料が薄板状に成型された磁性体であり、バッテリーパック１０に対向する第１主面ＦＳ３０およびこの第１主面ＦＳ３０に対向する第２主面ＳＳ３０を有している。アンテナコイル２０は、磁性体コア３０の第１主面ＦＳ３０側に位置する第１部分２０Ａと、磁性体コア３０の第２主面ＳＳ３０側に位置して第２主面ＳＳ３０からの平面視で第１部分２０Ａとは異なる位置に配置された第２部分２０Ｂとを有する。
【００４５】
磁性体コア３０の第１主面ＦＳ３０はバッテリーパック１０の主面ＭＳ１０側に位置し、アンテナコイル２０の第１部分２０Ａがバッテリーパック１０の縁端部近傍に位置している。
【００４６】
このような構成の場合、図６（Ｂ）において矢印ＡＲで示す方向に磁束が延びる磁束ループを形成することができ、矢印ＡＲ方向への指向性が高まる。したがって、その矢印ＡＲ方向の通信距離を大きくすることができる。
【００４７】
《第４の実施形態》
第４の実施形態では、それぞれ形状が異なる磁性体コアを備えた三つのアンテナ付きバッテリーパックについて示す。
図７（Ａ）、図７（Ｂ）、図７（Ｃ）はアンテナ付きバッテリーパック１１４Ａ，１１４Ｂ，１１４Ｃの正面図である。いずれもアンテナコイル２０と磁性体コア３０とで構成されるアンテナコイルユニットがバッテリーパック１０に貼り付けられている。基本的な構成は第１の実施形態で示したものと同じである。
【００４８】
図７（Ａ）に示すように、磁性体コア３０はバッテリーパック１０の裏面（他方主面）に回り込んで形成されていてもよい。また、図７（Ｂ）に示すように、バッテリーパック１０の主面の磁性体コア３０ａとバッテリーパック１０の側面の磁性体コア３０ｂとは一連の磁性体コアでなく個別に設けられていてもよい。また、図７（Ｃ）に示すように、磁性体コア３０の第２端Ｅ２はアンテナコイル２０から大きく突き出されて、バッテリーパック１０の主面の中央部付近、さらには中央部を覆うような領域にまで到達していてもよい。
【００４９】
《第５の実施形態》
図８（Ａ）は第５の実施形態の通信端末装置２１１の斜視図、図８（Ｂ）はその縦断面図である。
通信端末装置２１１の筐体９１の裏面側の所定スペースにアンテナ付きバッテリーパック１１１が装着される。このアンテナ付きバッテリーパック１１１は第１の実施形態で示したものである。筐体９１の表面側には表示部や入力操作部が設けられている。また筐体９１の内部には、各種の回路部品９４が搭載されたプリント配線板９３が内蔵されている。プリント配線板９３には各種回路部品９４を実装するための配線導体やグランド導体が形成されている。また、筐体９１の一方の端部側には、アンテナコイル２０とは異なる周波数帯に対応したメインアンテナ（携帯電話通信用のアンテナ）９５が設けられている。
【００５０】
アンテナコイル２０は、磁性体コア３０の挿入方向が筐体９１の長手方向となるようにバッテリーパック１０に貼着されている。また、アンテナコイル２０は、筐体９１の長手方向において、アンテナコイル２０のコイル開口部の中心部がメインアンテナ９５から離れる方向にオフセットされて配置されている。
【００５１】
このように、アンテナコイル２０は、磁性体コア３０の挿入方向が筐体９１の長手方向となるように、且つ筐体９１の長手方向において、アンテナコイル２０の中心部がメインアンテナ９５から離れる方向にオフセットされていることによって、アンテナコイル２０とメインアンテナ９５とのアイソレーションを確保しやすくなる。なお、メインアンテナの他に、ＧＰＳ、無線ＬＡＮ等のアンテナを有する場合、アンテナコイル２０は、これらのアンテナからも離れる方向にオフセットして配置されていることが好ましい。
【００５２】
《第６の実施形態》
以上に示した各実施形態では、透磁率に方向性の無い磁性体コアを用いたアンテナコイルおよびそれを備えた通信端末装置を例示したが、この第６の実施形態は透磁率に方向性のある磁性体コアを用いた例である。
【００５３】
図９は第６の実施形態のアンテナコイル１２０の平面図である。このアンテナコイル１２０は、コイル導体パターン２２を形成したフレキシブル基板２１と平板状の磁性体コア３１を備えている。コイル導体パターン２２は複数ターンの矩形スパイラル状を成している。このコイル導体パターン２２のコイル開口部にスリット状の開口ＡＰ２１が設けられている。そして磁性体コア３１が開口ＡＰ２１に挿通されている。
【００５４】
磁性体コア３１は、コイル開口部への挿入方向（Ｘ軸方向）とそれに直交する方向（Ｙ軸方向）とで透磁率が異なる。ここでは、磁性体コア３１は、コイル開口部への挿入方向がそれに直交する方向より高い透磁率を備えている。
【００５５】
前記磁性体コア３１は、具体的には、長軸と短軸を有する針状の磁性体粉末（たとえばフェライト粉）をバインダ樹脂中に配向分散することで透磁率異方性をもたせた平板状の磁性体コアである。
導電体の構成および導電体とアンテナコイルとの配置関係については、以上の各実施形態で示したものと同様である。
【００５６】
このアンテナコイル１２０によれば、磁性体コア３１の磁路方向（コイル導体パターン２２に電流が流れることにより生じる主たる磁束が向く方向（Ｘ軸方向））に磁束が透過し易くなり、それに直交する方向（Ｙ軸方向）へは磁束が通過し難くなるので、コイル導体パターン２２に対して有効に鎖交する磁束が増す。すなわち、導電体（例えばバッテリーパック）の側面（さらには裏面）に、磁束を効率良く導くことができる。その結果、アンテナコイルのサイズを維持したまま、通信距離を大きくすること、あるいは通信距離を維持したままアンテナサイズを小さくすることが可能である。
【００５７】
《他の実施形態》
以上、本発明の具体的な実施の形態について示したが、本発明は上記の各実施形態に限定されるものではない。
例えば、導電体の形状は直方体形状や矩形板状に限らず、或る拡がりをもった一方主面および他方主面を備えた形状であればよい。また、例えば仮想的外形線で囲んだ形状が直方体形状や矩形板状であってもよい。なお、導電体には、スリットや開口部が設けられていてもよい。
【００５８】
また、「導電体の一方主面の中心」は、導電体の平面視での代表位置を表すための用語であるので、導電体の一方主面の幾何学的な中心に限らない。一般的には、導電体の一方主面内にある重心と考えればよい。
【００５９】
また、アンテナコイルは、コイル導体パターンを平面状に巻回した平面コイルであるが、単層のコイルに限定されるものではなく、コイル導体パターンを複数層積み重ねてなる積層型コイルであってもよい。また、アンテナコイル（平面コイル）は、厳密に平面状のコイルである必要はなく、例えば、図３に示したように、折れ曲がって構成されていてもよい。
【００６０】
また、「アンテナコイルのコイル開口部の中心」は、アンテナコイルのコイル開口部の代表位置を表すための用語であるので、コイル開口部の幾何学的中心に限らない。一般的には、コイル開口部の重心と考えればよい。
【００６１】
また、コイル開口部は矩形に限らず、多角形、ループ曲線、長円、楕円、直線と曲線の組み合わせなど、任意である。
【００６２】
また、アンテナコイルが貼り付けられる導電体（金属物）の例としてバッテリーパックを挙げたが、この導電体はバッテリーパックに限定されるものではなく、通信端末装置の筐体の一部を本発明に係る「導電体」とし、それを集磁素子として利用してもよい。また集磁素子としての導電体を別途設けてもよい。
【００６３】
また、バッテリーパックの形状は直方体状に限定されるものではなく、少なくとも一方主面とこの一方主面に連接した側面、ならびに、一方主面とは反対側の他方主面を有していればよい。この一方主面と側面は必ずしも直交している必要はない。また、一方主面と他方主面は必ずしも平行面である必要もない。
【００６４】
また、アンテナコイルにおいて、第１コイル導体と第２コイル導体とは、直接的に（直流的に）接続されている必要はなく、容量を介して接続されていてもよい。容量を介して接続されていれば、絶縁性シートに層間導体を設ける必要が無いため、アンテナコイルの製造が容易である。
【００６５】
また、第１コイル導体と第２コイル導体は、平面視で少なくともバッテリーパックの縁端部（アンテナコイルの第２部分）に近傍にて、隙間が無いように重なっていることが望ましいが、その他の部分（アンテナコイルの第１部分）については隙間が生じていてもよい。第１コイル導体と第２コイル導体とを、このように隙間がないように重ねることで、隙間から洩れる磁界を少なくし、通信距離を大きくすることができる。
【００６６】
また、アンテナコイルは、アンテナコイルの外縁端がバッテリーパックの縁端部とほぼ同じ位置になるように設けた例を示したが、アンテナコイルの外縁端はバッテリーパックの側面にまで延設されていてもよいし、アンテナコイルの外縁端がバッテリーパックの縁端部から所定のギャップを隔てて内側に設けられていてもよい。
【００６７】
また、アンテナコイルのコイル導体パターンは、フレキシブル基板の片面または両面に多層形成してもよい。コイル導体パターンの積層数やターン数は必要なインダクタンス値に応じて適宜設計できる。
【００６８】
また、第１の実施形態では磁性体コアは、アンテナコイルの第１部分ではアンテナコイルを覆うような幅に、第２部分ではコイル開口部の幅とほぼ同等の幅に構成されているが、その幅は一方端と他方端で同じ幅となるように構成されていてもよい。さらに、磁性体コアは、アンテナコイルのうち第１部分と第２部分とに別々の磁性体を設けてもよい。
【００６９】
また、アンテナコイルのコイル導体パターンはスパイラル状に限らず、ループ状であってもよい。また、絶縁層を介して積層することによってヘリカル状を成すようにしてもよい。
【００７０】
また、磁性体コアの第２端は、導電体の一方主面の中心位置の近傍にあることが好ましいが、導電体の一方主面上に位置していればよい。ただし、磁性体コアの小型化、導電体の集磁素子としての有効活用の点で、磁性体コアの第２端から導電体の端部までの寸法（図３に示した例でＴ２）は導電体の一方主面の長さ（図３に示した例でＹ２）の１／２以上、さらには１／３以上であることが好ましい。
【符号の説明】
【００７１】
ＡＰ２１…開口
ＣＰ１０…バッテリーパックの主面の中心
ＣＰ３０…コイル開口部の中心
Ｅ１…第１端
Ｅ２…第２端
ＥＳ１０…側面
ＦＳ３０…磁性体コアの第１主面
ＳＳ３０…磁性体コアの第２主面
ＭＳ１０…バッテリーパックの主面
１０…バッテリーパック
２０，１２０…アンテナコイル
２０Ａ…アンテナコイルの第１部分
２０Ｂ…アンテナコイルの第２部分
２１…フレキシブル基板
２２…コイル導体パターン
２２ａ…第１コイル導体パターン
２２ｂ…第２コイル導体パターン
３０，３０ａ，３０ｂ，３１…磁性体コア
９１…筐体
９３…プリント配線板
９４…各種回路部品
９５…メインアンテナ
１１１〜１１３…アンテナ付きバッテリーパック
１１４Ａ，１１４Ｂ，１１４Ｃ…アンテナ付きバッテリーパック
２１１…通信端末装置
【図１】
0005472153.tif 000002
【図２】
0005472153.tif 000003
【図３】
0005472153.tif 000004
【図４】
0005472153.tif 000005
【図５】
0005472153.tif 000006
【図６】
0005472153.tif 000007
【図７】
0005472153.tif 000008
【図８】
0005472153.tif 000009
【図９】
0005472153.tif 000010